(57)【要約】【課題】配線作業が不要な照明装置を提供する。【解決手段】照明装置は、複数個の発光素子を備える光源ユニットと、光源ユニットに点灯電力を供給する電源ユニット５１と、光源ユニットを表側に搭載し且つ電源ユニット５１を裏側に搭載するベース５２とを備え、光源ユニットと電源ユニット５１とは、ベース５２を挿通する導電ピン５１７Ｈ，５１７Ｌにより電気的に接続されている。【選択図】図９
2020009700.tif 000002
【特許請求の範囲】
【請求項１】
複数個の発光素子を備える光源ユニットと、
前記光源ユニットに点灯電力を供給する電源ユニットと、
前記光源ユニットを表側に搭載し且つ前記電源ユニットを裏側に搭載するベースと
を備え、
前記光源ユニットと前記電源ユニットとは、前記ベースを挿通する導電ピンにより電気的に接続されている
照明装置。
【請求項２】
前記導電ピンは、前記電源ユニットの電源基板に設けられ、
前記光源ユニットは、一端が前記導電ピンと接続し、他端が前記発光素子を実装すると共に点灯電力を供給する電力供給路に接続する導電板を備える
請求項１に記載の照明装置。
【請求項３】
前記導電板は、高電位側の高導電板と、低電位側の低導電板とを備え、
前記高導電板と前記低導電板は、前記導電ピンと前記電力供給路とを最短距離で接続する
請求項２に記載の照明装置。
【請求項４】
前記高導電板と前記低導電板は、前記導電ピンの延伸方向から見ると、同じ形状をしている
請求項３に記載の照明装置。
【請求項５】
前記電源基板は前記ベースに対して離間し、
前記導電ピンは、前記電源基板と前記ベースとの間の領域が支持部材により支持されている
請求項２〜４の何れか１項に記載の照明装置。
【発明の詳細な説明】
【技術分野】
【０００１】
本発明は器具に灯具が着脱可能に装着される照明装置に関する。
【背景技術】
【０００２】
天井や壁等の被取付面に取り付けられた器具に着脱可能に装着される灯具の光源に発光素子が用いられた照明装置が提案されている（例えば、特許文献１）。
特許文献１に記載の灯具は、複数の半導体発光素子と、前記複数の半導体発光素子が実装される長尺状の発光素子基板と、前記複数の半導体発光素子の電力供給源である電源部と、前記発光素子基板が取り付けられる第１面と、当該第１面の反対面である第２面であって、少なくとも前記電源部が設けられる第２面とを有する長尺状の支持部材と、前記第１面側において複数の半導体発光素子を覆い、前記支持部材に取り付けられる長尺状の透光性カバーと、前記透光性カバーの長手方向における両端の開口を覆う、一対の端部カバーと、を備える。
【先行技術文献】
【特許文献】
【０００３】
【特許文献１】特開２０１７−３３７９１号公報
【発明の概要】
【発明が解決しようとする課題】
【０００４】
特許文献１に記載の灯具では、支持部材（２４）に設けられた挿入孔（２４ｃ）を介して電源部からの配線を発光素子基板に接続している。このため、手作業による配線が必要となり、その作業に時間を要する。
本発明は、このような事情に鑑みてなされたものであって、配線作業が不要な照明装置を提供することを目的とする。
【課題を解決するための手段】
【０００５】
上記課題を解決するために、本発明の一態様に係る照明装置は、複数個の発光素子を備える光源ユニットと、前記光源ユニットに点灯電力を供給する電源ユニットと、前記光源ユニットを表側に搭載し且つ前記電源ユニットを裏側に搭載するベースとを備え、前記光源ユニットと前記電源ユニットとは、前記ベースを挿通する導電ピンにより電気的に接続されている。
【発明の効果】
【０００６】
本発明によれば、導電ピンにより配線作業が不要となる。
【図面の簡単な説明】
【０００７】
【図１】本実施形態に係る照明装置を示す斜視図であり、器具から灯具を取り外した状態である。
【図２】器具を表側から見た斜視図であり、側板の大部分を切り欠いている。
【図３】灯具の分解状態を表側から見た斜視図である。
【図４】灯具の分解状態を裏側から見た斜視図である。
【図５】灯具の横断面図であり、（ａ）は側方から見た図であり、（ｂ）は斜め裏側から見た図である。
【図６】（ａ）は灯具側ベースの表延伸部分での縦断面の一端側拡大図であり、（ｂ）は灯具側ベースの短手方向の中央での縦断面の一端側拡大図であり、（ｃ）は光源ユニットを搭載する灯具側ベースの一端側を表側から見た図である。
【図７】電源ユニットの分解状態を裏側から見た斜視図である。
【図８】電源ユニットの分解状態を表側から見た斜視図である。
【図９】（ａ）縦断面であって電源ユニット周辺部を側方からみた斜視図であり、（ｂ）は電源ユニットと光源ユニットとが電気接続する部位を表側から見た拡大図である。
【図１０】（ａ）（ｂ）は支持部材の斜視図であり、（ｃ）は支持部材により導電ピンが支持された状態を示す断面図である。
【図１１】変形例に係る電源ユニットと光源ユニットとが電気接続する部位を表側から見た拡大図である。
【図１２】（ａ）は変形例に係る電源ケースを示す斜視図であり、（ｂ）は電源ケースに取り付けられるコネクタの斜視図である。
【図１３】変形例に係るコネクタの取付状態を示す斜視図であり、（ａ）は実施形態の電源ケースを用いた場合であり、（ｂ）は変形例に係る電源ケースを用いた場合であり、（ｃ）は変形例に係る電源ケースのコネクタ取付部分の拡大斜視図である。
【図１４】変形例に係る灯具側ベースの端部の縦断面斜視図である。
【図１５】変形例に係る灯具の端部を裏側から見た拡大図である。
【発明を実施するための形態】
【０００８】
＜概要＞
一態様に係る照明装置は、複数個の発光素子を備える光源ユニットと、前記光源ユニットに点灯電力を供給する電源ユニットと、前記光源ユニットを表側に搭載し且つ前記電源ユニットを裏側に搭載するベースとを備え、前記光源ユニットと前記電源ユニットとは、前記ベースを挿通する導電ピンにより電気的に接続されている。
別態様に係る照明装置において、前記導電ピンは、前記電源ユニットの電源基板に設けられ、前記光源ユニットは、一端が前記導電ピンと接続し、他端が前記発光素子を実装すると共に点灯電力を供給する電力供給路に接続する導電板を備える。これにより、光源ユニットと電源ユニットとの電気接続を容易に行える。
別態様に係る照明装置において、前記導電板は、高電位側の高導電板と、低電位側の低導電板とを備え、前記高導電板と前記低導電板は、前記導電ピンと前記電力供給路とを最短距離で接続する。これにより、導電板を小さくできる。
別態様に係る照明装置において、前記高導電板と前記低導電板は、前記導電ピンの延伸方向から見ると、同じ形状をしている。これにより、導電板を一種類で構成でき、安価で実施できる。
別態様に係る照明装置において、前記電源基板は前記ベースに対して離間し、前記導電ピンは、前記電源基板と前記ベースとの間の領域が支持部材により支持されている。これにより導電ピンが変形するようなことを少なくできる。
【０００９】
<実施形態＞
１．照明装置の全体構成
照明装置１は例えば天井等の被取付面に取り付けられる長尺状のＬＥＤベースライトである。照明装置１は、図１に示すように、被取付面に取り付けられる器具３と、器具３に着脱自在に装着される灯具５とを備える。
照明装置１において光を出射する側を表側とし、単に「表側」とすることもある。照明装置１において被取付面が存在する側を裏側とし、単に「裏側」とすることもある。長尺状の照明装置１の長手方向を単に「長手方向」とすることもあり、照明装置１の短手方向を単に「短手方向」とすることもある。
【００１０】
２．器具
主に図２を用いて説明する。
器具３は例えば吊りボルト等（図示省略）により被取付面に固定される。
器具３は器具側ベース３０と器具側端部カバー３２とを備える。器具３は、灯具５に商用電源を供給するための端子台３４、灯具５を着脱自在に装着するための一対の器具側装着具３６とを器具側ベース３０の表面に備える。
【００１１】
器具側ベース３０は、例えば一枚の金属板を湾曲させてなり、灯具５の裏側部分を収容する凹入部３０１を有する。凹入部３０１は、横断面において、表側拡がりに表側が開放する「コ」字状をしている。
器具側ベース３０の裏板３０３には、吊りボルト、電源側ケーブルの挿通用、端子台３４や器具側装着具３６の固定用、器具側端部カバーの固定用等の貫通孔３０５（図１参照）が複数個設けられている。
【００１２】
３．灯具５
（１）全体
灯具５は、図３及び図４に示すように、少なくとも、発光素子の一例であるＬＥＤ素子（５０３）を光源とする光源ユニット５０と、光源ユニット５０に点灯電力を供給する電源ユニット５１と、光源ユニット５０及び電源ユニット５１を表裏に搭載する灯具側ベース５２とを備える。
灯具５は光源ユニット５０を収容するための筐体５５を備える。ここで、灯具側ベース５２は、器具側ベース３０と区別するために「灯具側」が付されており、本発明の「ベース」の一例に相当する。なお、灯具側ベース５２は筐体５５（図１参照）を構成する一部材である。
灯具５は自装置（具体的には灯具側ベース５２である）を器具３に取り付けるための取付具５９を備える。
以下、各部について説明する。
【００１３】
（１−１）筐体
筐体５５は、図１に示すように、長手方向に長い箱状をしている。筐体５５は、表側に光源ユニット５０を搭載し且つ裏側に電源ユニット５１を搭載する灯具側ベース５２と、光源ユニット５０を表側から覆う透光性カバー５３と、灯具側ベース５２と透光性カバー５３の長手方向の端部を覆う灯具側端部カバー５４とを備える。
【００１４】
（１−１−１）灯具側ベース
灯具側ベース５２は光源ユニット５０（光源基板５０１）を搭載する光源搭載機能を有する。灯具側ベース５２は電源ユニット５１を搭載する電源搭載機能を構成する。灯具側ベース５２は灯具側端部カバー５４を固定する端部カバー固定機能を構成する。灯具側ベース５２は透光性カバー５３を固定する透光性カバー固定機能を構成する。
灯具側ベース５２は、図５に示すように、平坦部５２１と、平坦部５２１の短手方向の両端から外拡がりに表側に延伸した後に裏側に屈曲する「Ｖ」字状をするＶ字状部５２２とを有する。なお、Ｖ字状部５２２の表側に延伸する部分を表延伸部分５２３とし、裏側に延伸する部分を裏延伸部分５２４とする。なお、灯具側ベース５２は例えば押し出し成形された樹脂により構成される。
【００１５】
灯具側ベース５２は、平坦部５２１の表面とで溝を形成する溝形成部５２５を平坦部５２１に有している。なお、溝形成部５２５は平坦部５２１の全長に亘って設けられている。溝形成部５２５は平坦部５２１から表側に「Ｔ」字状に延伸している。溝形成部５２５は表側に突出する突条部分の突出両側が短手方向に凹入している。
溝形成部５２５は短手方向に間隔をおいて４個ある。短手方向の端に位置する溝形成部５２５と、その内側の溝形成部５２５との間に光源基板５０１が長手方向から挿入されている。これにより、光源基板５０１が溝形成部５２５により係止される。このように溝形成部５２５と平坦部５２１とは光源ユニット５０を搭載する光源搭載機能を構成する。
【００１６】
灯具側ベース５２は、図６の（ｃ）に示すように、長手方向の両端であって短手方向の中央から長手方向の内側に延伸する溝５２６を有する。溝５２６は延伸方向の中央部が細くなっている。溝５２６の先端部分５２６ａには、図６の（ｂ）に示すように、灯具側端部カバー５４のピン状部分５４７ｂが嵌合する。これにより、灯具側端部カバー５４が灯具側ベース５２に固定される。このように溝５２６とピン状部分５４７ｂとは端部カバー固定機能を構成する。
【００１７】
（１−１−２）透光性カバー
透光性カバー５３は、図５に示すように、光源ユニット５０と対向して配され且つ横断面において裏側拡がりの「コ」字状をするコ字状部５３１と、コ字状部５３１の開口側端から「Ｖ」字状に延伸するＶ字状部５３３とを有している。
Ｖ字状部５３３は、灯具側ベース５２のＶ字状部５２２の外側に嵌合する。嵌合は、灯具側ベース５２に対して長手方向の端部から透光性カバー５３をスライドさせることで行われる。このように、透光性カバー５３のＶ字状部５３３と灯具側ベース５２のＶ字状部５３３とは透光性カバー固定機能を構成する。
【００１８】
（１−１−３）灯具側端部カバー
灯具側端部カバー５４は、図６の（ａ）に示すように灯具側ベース５２に透光性カバー５３が取付けられた状態の端部を覆う板状部５４１と、図５の（ｂ）に示すように、板状部５４１から立設して灯具側ベース５２と透光性カバー５３との内周面に当接する内延伸部５４３と、板状部５４１から立設して灯具側ベース５２のＶ字状部５２２（表延伸部分５２３と裏延伸部分５２４との間）に嵌合する外延伸部５４５と、板状部５４１から立設して灯具側ベース５２の中央側の２つの溝形成部５２５間に挿入する裏延伸部５４７を有する。
裏延伸部５４７は、図６の（ａ）、（ｂ）に示すように、補強及び位置決め用のリブ部分５４７ａと、裏側に延伸するピン状部分５４７ｂとを有する。ピン状部分５４７ｂは灯具側ベース５２の溝５２６の先端部分５２６ａ（図６の（ｃ）参照）に嵌合する。なお、嵌合する際には、ピン状部分５４７ｂは弾性変形する。
【００１９】
（１−２）光源ユニット
光源ユニット５０は、図４に示すように、長尺状をしている。光源ユニット５０は、図６に示すように、長尺の光源基板５０１と複数個のＬＥＤ素子５０３とを備える。ここでは、光源ユニット５０は、図４に示すように、４枚の光源基板５０１を備え、長手方向に隣接させた２枚の光源基板５０１を２列で備える。なお、光源基板５０１は図示しない配線パターンを有する。なお、配線パターンは、ＬＥＤ素子５０３を実装すると共に、実装するＬＥＤ素子５０３に点灯電力を供給する電力供給路を構成する。
【００２０】
光源ユニット５０は、図９の（ｂ）に示すように、一端が電源ユニット５１の導電ピン５１７と接続し、他端が電力供給路と接続する導電板５０５を備える。ここでの導電板５０５は、高電位側の高導電ピン５１７Ｈと接続する高導電板５０５Ｈと、低電位側の低導電ピン５１７Ｌと接続する低導電板５０５Ｌとの２つある。なお、高導電板５０５Ｈと低導電板５０５Ｌを区別する必要がない場合、単に導電板５０５として説明する。
導電板５０５は、例えば薄肉の金属板を打ち抜くことにより構成される。導電板５０５は、図９の（ｂ）に示すように、導電ピン５１７と接続するピン側接続部５０５ａと、光源基板５０１における接続端子と接続する基板側接続部５０５ｂと、ピン側接続部５０５ａと基板側接続部５０５ｂとを連結する連結部５０５ｃとを有する。なお、ここでの接続端子は、４つの光源基板５０１により構成された電力供給路における最高電位側端及び最低電位側端である。
【００２１】
ここでのピン側接続部５０５ａは、図９の（ｂ）に示すように、光源基板５０１に対して短手方向の外側に位置する。具体的には、ピン側接続部５０５ａは、図５の（ａ）にも示すように、表延伸部分５２３の表側に配され、光源基板５０１に対して傾斜している。
ここでの灯具側ベース５２は溝形成部５２５を備えているため、図５の（ａ）に示すように、連結部５０５ｃの一部分が溝形成部５２５を跨ぐように表側に屈曲している。連結部５０５ｃは、図９の（ｂ）に示すように、高導電板５０５Ｈでは「Ｌ」字状をし、低導電板５０５Ｌでは「コ」字状をしている。
【００２２】
光源ユニット５０は、図９の（ｂ）及び図６の（ａ）に示すように、４枚の光源基板５０１を電気的に接続する接続導電板５０７を備える。接続導電板５０７は３つあり、１つは図９の（ｂ）に示すように長手方向に隣接する光源基板５０１同士を接続し、残り２つは図６に示すように、長手方向の両端（図では一端側のみ表示）で短手方向に隣接する光源基板５０１同士を接続する。ここでの３つの接続導電板５０７は同じ構成である。接続導電板５０７は、図９の（ａ）に示すように、光源基板５０１と接続する２つの接続部５０７ａ，５０７ｂと、２つの接続部５０７ａ，５０７ｂをアーチ状に連結する（架設する）連結部５０７ｃとを有する。
【００２３】
（１−３）電源ユニット
主に図７及び図８を用いて説明する。
電源ユニット５１は、商用電源から受電した電力から点灯電力を生成して、光源ユニット５０に点灯電力を供給する。
電源ユニット５１は、点灯電力を生成するための電源回路部５１１と、電源回路部５１１を支持すると共に灯具側ベース５２に固定される電源ケース５１２とを備える。電源ケース５１２及び灯具側ベース５２が金属で構成される場合、電源ユニット５１は電源回路部５１１用の絶縁シート５１３，５１４を備える。
【００２４】
（１−３−１）電源回路部
電源回路部５１１は、図８に示すように、回路を構成する複数個の電子部品５１５と、電子部品５１５を実装する電源基板５１６とを有する。ここでは、電源基板５１６の表面に電子部品５１５が実装されている。
電源回路部５１１は、光源ユニット５０に点灯電力を供給するための導電ピン５１７を電源基板５１６に備える。高電位側の導電ピンを高導電ピン５１７Ｈとし、低電位側の導電ピンを低導電ピン５１７Ｌとし、区別する必要がない場合、単に導電ピン５１７として説明する。導電ピン５１７は表側にまっすぐに延伸する。
導電ピン５１７は金属棒により構成されている。導電ピン５１７は、図９の（ａ）に示すように、灯具側ベース５２の貫通孔を挿通して、光源ユニット５０の導電板５０５と接続される。なお、灯具側ベース５２の貫通孔は、電源基板（電源回路部５１１）５１６を灯具側ベース５２に近づけた際に、導電ピン５１７がそのまま挿通する位置に形成されている。これにより、電源ユニット５１の灯具側ベース５２への取り付けを自動化できる。
【００２５】
電源基板５１６は、一端がコネクタ５６に接続されている２本のケーブル５７１，５７３の他端と接続されている。２本のケーブル５７１，５７３は、図５の（ａ）に示す結束具５７９を介して、図７に示す電源ケース５１２の屈曲片５１２ｐに固定される。なお、図１、図４、図７及び図８において、ケーブル５７１，５７３の中間部分の図示は省略している。コネクタ（メス型コネクタ）５６は、図２に示す器具３の端子台３４に接続されたコネクタ（図示省略：オス型コネクタ）と接続する。
【００２６】
（１−３−２）電源ケース
電源ケース５１２は、図８に示すように、表側が開放する矩形箱状をしている。電源ケース５１２は、図９に示すように、天板部５１２ａに「コ」字状の溝部分を有し、その内側が表側に屈曲する屈曲片５１２ｂ，５１２ｃを２個以上有している。屈曲片５１２ｂ，５１２ｃは、電源基板５１６を裏側から支持する。なお、図８では、屈曲片５１２ｂが分かるように側板部の一部を切り欠いている。
電源ケース５１２は、天板部５１２ａ及び側板部５１２ｄに跨る「コ」字状の溝部分を有し、その内側部分で屈曲して天板部５１２ａと平行に延伸する屈曲片５１２ｅを有している。屈曲片５１２ｅにはねじ孔５１２ｆ（図８参照）が設けられている。電源基板５１６は、屈曲片５１２ｂ，５１２ｃ，５１２ｅにより裏側から支持され、ねじ孔５１２ｆに螺合するねじ７１により電源ケース５１２に固定される。
【００２７】
電源ケース５１２は、図８に示すように、長手方向に対向する側板部５１２ｇ，５１２ｈの開口側端に外側に屈曲する屈曲片５１２ｉ，５１２ｊを有し、当該屈曲片５１２ｉ，５１２ｊに貫通孔５１２ｋ，５１２ｍが形成されている。なお、屈曲片５１２ｉ，５１２ｊには、図７及び図８に示すように、貫通孔５１２ｋ，５１２ｍに対応した位置にねじ孔５１８ｎを有する補助板５１８が設けられている。
ねじ孔５１８ｎには、図９の（ｂ）に示すねじ７２が灯具側ベース５２、屈曲片５１２ｉ，５１２ｊの貫通孔５１２ｋ，５１２ｍを表側から挿通して螺合する。これにより、電源ユニット５１が灯具側ベース５２に固定される。
【００２８】
電源ケース５１２において、長手方向に対向する側板部５１２ｇ，５１２ｈの一方の側板部５１２ｈの屈曲片５１２ｐには、一端がコネクタ５６に接続されているケーブル５７５のアース端子５７７が接続される。
電源ケース５１２は、図８に示すように、長手方向に対向する側板部５１２ｇ，５１２ｈの一方の側板部５１２ｇと天板部５１２ａとの連結部分に欠け部５１２ｑを有している。欠け部５１２ｑには、コネクタ５６の凸部５６１が嵌合する（図９の（ａ）参照）。これにより、コネクタ５６は、電源ケース５１２に取り付けられ、また短手方向に位置決めされる。
【００２９】
（１−３−３）コネクタ
コネクタ５６は器具３側のコネクタと着脱可能に接続される。ここでのコネクタ５６は、図７及び図８に示すように、メス型であり、３本のケーブル５７１，５７３，５７５と接続されている。コネクタ５６は、３本のケーブル５７１，５７３，５７５と接続するための本体部５６０と、本体部５６０の表面又は裏面から厚み方向の外方に突出する凸部５６１とを有している。凸部５６１は、器具側のコネクタを固定するためのもので、一対の係止片５６１ａを有する。なお、コネクタ５６において器具側のコネクタと接続する側を長手方向の一端とする。コネクタ５６の凸部５６１における長手方向の他端部が、電源ケース５１２の欠け部５１２ｑに嵌合する。
（１−３−４）絶縁シート
絶縁シート５１３は電源回路部５１１と電源ケース５１２との間に配され、絶縁シート５１４は電源回路部５１１と灯具側ベース５２との間に配される。絶縁シート５１４は導電ピン５１７用の貫通孔５１４ａ等を有する。
【００３０】
（２）電源ユニットの組み付け
電源ユニット５１は、電源回路部５１１を支持、収容する電源ケース５１２を灯具側ベース５２の取付位置の上方に配置する配置工程と、電源ユニット５１の一対の導電ピン５１７が灯具側ベース５２の貫通孔及び導電板５０５の貫通孔を挿通するように電源ケース５１２を灯具側ベース５２に近づけて当接させる当接工程と、導電板５０５の貫通孔から導出する導電ピン５１７と導電板５０５とを半田等により電気的に接続する接続工程とを経て行われる。
なお、電源ケース５１２をねじ７２で固定する工程は、当接工程と接続工程との間で行われてもよいし、接続工程の後に行われてもよい。
導電ピン５１７と導電板５０５との接続は、貫通孔付の薄肉金属板５０６（図１０の（ｃ）参照）、例えば、銅製のワッシャ等を導電ピン５１７に通し、ワッシャと導電板５０５とが接触する状態で半田つけしている。
このように、電源ユニット５１と光源ユニット５０との電気接続を導電ピン５１７で行うため、従来の配線の取り回しが不要となる。これにより、ロボット等による自動組み付けが可能となる。
【００３１】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していていない例や、要旨を逸脱しない範囲の設計変更があっても本発明に含まれる。
【００３２】
＜変形例＞
１．導電ピン
（１）構成
実施形態の導電ピン５１７は点灯電力を供給できればよく、金属、樹脂棒に金属箔、や金属コートを設けたもの等を利用することができる。また、導電ピンの形状等を特に限定するものではない。
実施形態では、導電ピン５１７と導電板５０５との接続に半田を利用しているが、例えば、導電ピンの先端部をねじ部として、導電板の貫通孔又は欠け部を通過した後に通電可能なナット（例えば金属）で固定するようにしてもよい。この場合も自動化可能である。
実施形態では、２本の導電ピン５１７が近接して電源基板５１６に設けられているが、例えば、電源基板の長手方向又は短手方向の両端に設けられてもよい。但し、組み立ての自動化を考慮すると、２本の導電ピンの延伸方向は平行であることが好ましい。
【００３３】
（２）支持部材
実施形態の導電ピン５１７は電源基板５１６から露出状態（他部材で支持されていない状態）で延伸しているが、例えば、導電ピン５１７は支持部材で支持されてもよい。支持部材８１を用いる例を図１０を用いて説明する。
支持部材８１は、図１０の（ａ）、（ｂ）に示すように、導電ピン５１７が挿通する一対の筒部８１１と、一対の筒部８１１を連結する連結部８１３とを備える。
支持部材８１は電源基板５１６に装着するための装着部を有する。装着部は、電源基板５１６の貫通孔又は凹み（図示省略）に嵌合する凸部分８１５により構成されている。凸部分８１５は２個以上が好ましく、導電ピン５１７の延伸方向周りの回転を規制できる。
【００３４】
ここでの凸部分８１５は連結部８１３の平坦面８１３ａに設けられている。平坦面８１３ａは一対の筒部８１１における電源基板５１６側の端部に構成され、当該平坦面８１３ａに筒部８１１の開口が存在する。平坦面８１３ａは電源基板５１６と当接する。これにより、支持部材８１を安定した状態で電源基板５１６に設けることができる。
支持部材８１を用いることで、電源基板５１６と導電板５０５とが離間しているような場合でも、導電ピン５１７や導電板５０５に電気接続の際に無理な負荷が作用するようなことを防止できる。
一対の筒部８１１は、図１０の（ａ）、（ｃ）に示すように、光源ユニット側が塞がれた有蓋円筒状をし、蓋部分に導電ピン用の貫通孔８１１ａが形成されている。なお、貫通孔８１１ａの大きさは導電ピン５１７の太さに対応している。
【００３５】
支持部材８１を備える灯具の組立状態を図１０の（ｃ）を用いて説明する。
ここでの導電ピン５１７と接続する導電板５０５は、灯具側ベース５２の傾斜する表延伸部分５２３の表面に設けられている。筒部８１１の蓋部分は、傾斜する導電板５０５に対応して傾斜面となっている。
支持部材８１の筒部８１１の高さ（長さ）は電源基板５１６と導電板５０５との間隔に対応している。これにより、導電ピン５１７と導電板５０５とを自然な状態（変形等を生じていない状態）で接続できる。なお、灯具側ベース５２の表延伸部分５２３には支持部材８１（筒部８１１）用の貫通孔５２３ａが形成されている。
【００３６】
なお、ここでの支持部材８１は一対の筒部８１１を一体で有しているが、１本の導電ピンに対して、１つの筒部を有する支持部材により支持するようにしてもよい。
支持部材８１は電源基板５１６と導電板５０５との間の全領域で導電ピン５１７を支持しているが、電源基板と導電板との間の一部の領域で導電ピンを支持するようにしてもよい。
【００３７】
（３）取り付け位置
実施形態では導電ピン５１７は電源基板５１６に設けられていたが、例えば灯具側ベースに設けても良いし、光源基板や導電板に設けてもよい。金属製の灯具側ベースに設ける場合、絶縁リング等を介して灯具側ベースに固定することで実施できる。光源基板に設ける場合、導電板を介さずに直接接続できる。薄肉の導電板に設ける場合は補強部を設けることで実施できる。
【００３８】
（４）本数
実施形態では、２本の導電ピン５１７Ｈ，５１７Ｌを利用しているが、発光素子（光源基板）の接続形態によっては、３本以上の導電ピンを利用してもよい。例えば、４個の電源基板を２列で配置した場合（実施形態と同じ配置である）であって各列の光源基板に独立して点灯電力を供給するような場合、３本又は４本の導電ピンを利用してもよい。
【００３９】
２．接続板
実施形態では高導電板５０５Ｈと低導電板５０５Ｌとが異なる形状をしている。しかしながら、図１１に示すように、光源基板１５０１の高電位側接続端子１５０９Ｈと高導電ピン５１７Ｈとの距離と、低電位側接続端子１５０９Ｌと低導電ピン５１７Ｌとの距離とを略同じにすることで、高導電板１５０５Ｈと低導電板１５０５Ｌとの形状を同じにすることができる。この場合、光源基板１５０１の接続端子１５０９と導電ピン５１７との距離を最短距離とすることで、導電板の面積を小さくできる。また、導電板１５０５（連結部）の長さが短いため、そり等による変形量を抑えることができる。
【００４０】
３．電源ユニット
（１）全体
実施形態での電源基板５１６は光源ユニット５０側に電子部品５１５を実装しているが、光源ユニットと反対側に電子部品を実装してもよい。
電源基板５１６は、電源ケース５１２に固定されているが、例えば、灯具側ベースに固定され、電源ケース（カバー）により覆われるようにしてもよい。
【００４１】
（２）電源ケース
以下に電源ケース５１２の変形例を示す。実施形態において、電源ケース５１２は、コネクタ５６の凸部５６１における長手方向の他端部と嵌合する欠け部５１２ｑを有しているが、例えば、図１２の（ａ）に示すように、電源ケース１５１２は、天板部１５１２ａから欠け部１５１２ｑ内に張り出し、表側に屈曲する屈曲片１５１２ｒを有してもよい。屈曲片１５１２ｒは、コネクタ５６が電源ケース１５１２に取り付けられた際に、図１２の（ｂ）に示すように、コネクタ５６の凸部５６１に存在する貫通孔５６１ｂに嵌合（進入）するように構成されている。つまり、屈曲片１５１２ｒの表裏方向の寸法が、貫通孔５６１ｂの表裏方向の寸法に対応している。又は、屈曲片１５１２ｒの短手方向の寸法（幅）が貫通孔５６１ｂの幅方向の寸法に対応している。
これにより、コネクタ５６が電源ケース１５１２に対して表裏方向に位置決めされる。なお、短手方向の位置決めは、凸部５６１が欠け部１５１２ｑに嵌合することで行われる。
【００４２】
（３）コネクタ
コネクタ２０５６は、図１３の（ａ）に示すように、凸部２５６１が形成された面と反対側の面に凹入部２５６３と、凹入部２５６３からＴ字状に延伸するＴ字凸条部２５６５を有してもよい。Ｔ字凸条部２５６５は、凹入部２５６３から立設して長手方向に延伸する立設部分２５６５ａと、立設部分２５６５ａの立設先端部から短手方向の両側に張り出して長手方向に延伸する張出部分２５６５ｂとを有する。
上記構成のコネクタ２０５６の場合、図１３の（ｂ）に示すように、電源ケース２５１２の天板部２５１２ａにＴ字凸条部２５６５を利用して電源ケース２５１２に取り付けることができる。
【００４３】
つまり、図１３の（ｃ）に示すように、電源ケース２５１２の天板部２５１２ａの取付領域を裏側に屈曲させ、当該屈曲部２５１２ｓに溝部２５１２ｔを設け、電源ケース２５１２の屈曲部２５１２ｓにコネクタ２０５６の凹入部２５６３を位置合わせし、電源ケース２５１２の溝部２５１２ｔの挿入口２５１２ｕにＴ字凸条部２５６５を挿入した後、コネクタ２０５６を長手方向に移動させることで、Ｔ字凸条部２５６５が溝部２５１２ｔに係合する。
【００４４】
この場合、図１３に示すように、電源ケース２５１２（図１３の（ｂ）参照）が、実施形態で説明した電源ケース５１２（図１３の（ａ）参照）よりも長い場合であっても、電源ケース５１２，２５１２において長手方向の端からの距離（図中の「Ｌ１」である）が略同じ個所にコネクタ２０５６を取り付けることができる。光源ユニット５０に搭載されるＬＥＤ素子５０３の個数を変更するなどして灯具５の全光束を変更する場合、それに合わせて電源ユニットの大きさを変更する必要がある。このような時にも、電源ケースの大きさ（長さ）に関係なく、同じケーブル５７を用いることができる。
【００４５】
４．灯具側ベース
（１）光源ユニットの支持
実施形態では、光源ユニット５０を固定するために、一対の溝形成部５２５を利用していたが、他の方法で光源ユニットを固定するようにしてもよい。他の方法としては、ねじ等の螺合手段、リベット等の締結手段等を利用することができる。
また、灯具側ベースは光源ユニットの長手方向に沿って貫通孔を有し、実施形態の溝形成部に対応する溝形成体を前記貫通孔から光源搭載領域に張り出すようにしてもよい。
実施形態では、一対の溝形成部５２５を２組備え、光源基板５０１を２列で支持している。しかしながら、光源基板を２列で支持する場合、３個の溝形成部を用いて、短手方向の中央に位置する溝形成部で両光源基板を支持するようにしてもよい。
【００４６】
（２）端部形状
実施形態では、長手方向の端面が平坦であったが、例えば、図１４に示すように、一対の溝形状部３５２５間に光源ユニット（光源基板）を搭載する搭載領域を含む領域において、長手方向の内側が凹入するように「Ｖ」字状に形成してもよい。凹入部３５２８は、凹入部の傾斜面に沿って光源基板が搭載領域に挿入する（ガイドされる）ように構成されている。つまり、「Ｖ」字の最も凹入している部分が光源基板の厚み方向の略中央位置となっている。
【００４７】
（３）導電ピン用の貫通孔
実施形態では、導電ピンを表裏に挿通させるために貫通孔を利用しているが、例えば、厚み方向に貫通し且つ短手方向に延伸する溝を利用してもよい。この場合、導電ピンを灯具側ベースの厚み方向に挿入させてもよいし、短手方向の外方から内方へと挿入させてもよい。
【００４８】
（４）灯具側端部カバー用の溝
実施形態では、灯具側端部カバー５４のピン状部分５４７ｂが嵌合する溝５２６は、延伸方向（長手方向）の中央が細くなるように構成されている。しかしながら、例えば、図１５に示す溝４５２６のように幅（短手方向の寸法）が一定であってもよい。つまり、灯具側ベース４０５２の長手方向の位置に依存せずに幅が一定であってもよい。これにより、灯具側ベース４０５２の長さが公差等により変動しても、灯具側端部カバー５４のピン状部分５４７ｂは溝４５２６に嵌合できる。なお、ここでいう幅が一定とは、公差等を考慮してピン状部分５４７ｂが嵌合する可能性のある領域において幅が一定であることをいい、例えば、図１５に示すように、溝４５２６の入り口部分４５２６ａを端拡がりに構成してもよい。なお、端拡がりにすることでピン状部分５４７ｂがスムーズに溝４５２６の奥に案内される。
【符号の説明】
【００４９】
１      照明装置
３      器具
５      灯具
５０      光源ユニット
５１      電源ユニット
５２      灯具側ベース（ベース）
５０５      導電板
５１７      導電ピン
【図１】
2020009700.tif 000003
【図２】
2020009700.tif 000004
【図３】
2020009700.tif 000005
【図４】
2020009700.tif 000006
【図５】
2020009700.tif 000007
【図６】
2020009700.tif 000008
【図７】
2020009700.tif 000009
【図８】
2020009700.tif 000010
【図９】
2020009700.tif 000011
【図１０】
2020009700.tif 000012
【図１１】
2020009700.tif 000013
【図１２】
2020009700.tif 000014
【図１３】
2020009700.tif 000015
【図１４】
2020009700.tif 000016
【図１５】
2020009700.tif 000017